(57)【要約】【課題】デジタルデータ複製装置間で少量のデータをやり取りするだけで、複製デジタルデータにアナログデータに類する劣化を与えることを可能にすること。【解決手段】サーバ１から劣化デジタルデータを各ユーザA,B,C,Dに配布する。また、ユーザAのデジタルデータ複製装置2に対し暗号化済劣化解除モジュールを配信する。デジタルデータ複製装置2は、デジタルデータ再生時に自身の暗号化鍵を利用して暗号化済劣化解除モジュール復号し、100％劣化解除モジュールを生成する。これを劣化デジタルデータに適用することによりその劣化を解除する。ユーザBには、ユーザAから劣化解除機能が減退された暗号化劣化解除モジュールを配信する。ユーザBは、ユーザAから劣化解除機能が減退された暗号化劣化解除モジュールを用いて、劣化されたデジタルデータを複製できる。【選択図】図１
2008077787.tif 000002
【特許請求の範囲】
【請求項１】
コンテンツソースから配布され、予め可逆に劣化が施されたデジタルデータの劣化を解除するためのデジタルデータ劣化解除モジュールを複製することを含む劣化を伴うデジタルデータ複製方法であって、
前記デジタルデータ劣化解除モジュールの劣化解除機能を減退させる劣化解除機能減退ステップを含むことを特徴とする劣化を伴うデジタルデータ複製方法。
【請求項２】
前記劣化解除機能減退ステップは、前記デジタルデータ劣化解除モジュールの複製の際に実行されることを特徴とする請求項１に記載の劣化を伴うデジタルデータ複製方法。
【請求項３】
前記デジタルデータ劣化解除機能は、階層化されており、前記劣化解除機能減退ステップは、前記デジタルデータ劣化解除モジュールの複製が複数回繰り返されることに伴い、劣化解除機能を段階的に減退させることを特徴とする請求項２に記載の劣化を伴うデジタルデータ複製方法。
【請求項４】
前記劣化解除機能減退ステップは、前記デジタルデータ劣化解除モジュールを受けた後、一定時間ごとに実行されることを特徴とする請求項１に記載の劣化を伴うデジタルデータ複製方法。
【請求項５】
前記デジタルデータ劣化解除機能は、階層化されており、前記劣化解除機能減退ステップは、前記一定時間の経過に伴い、劣化解除機能を段階的に減退させることを特徴とする請求項４に記載の劣化を伴うデジタルデータ複製方法。
【請求項６】
前記デジタルデータ劣化解除モジュールは、暗号化されており、前記劣化解除機能減退ステップは、前記デジタルデータ劣化解除モジュールを復号する第１のステップと、前記第１のステップにより復号されたデジタルデータ劣化解除モジュールの劣化解除機能を減退させる第２のステップと、前記第２のステップにより減退させられたデジタルデータ劣化解除モジュールを再暗号化する第３のステップを含むことを特徴とする請求項１ないし５のいずれかに記載の劣化を伴うデジタルデータ複製方法。
【請求項７】
予め可逆に劣化が施されたデジタルデータを元にデジタルデータを複製するデジタルデータ複製装置であって、
コンテンツソースから配布され、予め可逆に劣化が施されたデジタルデータを取り込んで記憶する記憶手段と、
前記コンテンツソースあるいは他のデジタルデータ複製装置から、前記デジタルデータの劣化を解除するためのデジタルデータ劣化解除モジュールを取り込むデジタルデータ劣化解除モジュール取込手段と、
前記デジタルデータ劣化解除モジュール取込手段により取り込まれたデジタルデータ劣化解除モジュールを使って前記記憶手段に記憶されたデジタルデータの劣化を解除して出力する再生手段と、
前記デジタルデータ劣化解除モジュール取込手段により取り込まれたデジタルデータ劣化解除モジュールの劣化解除機能を減退させて該デジタルデータ劣化解除モジュールを複製して送出するデジタルデータ劣化解除モジュール複製手段を具備することを特徴とする劣化を伴うデジタルデータ複製装置。
【請求項８】
前記デジタルデータ劣化解除モジュールは、暗号化されており、前記デジタルデータ劣化解除モジュール複製手段は、前記デジタルデータ劣化解除モジュール取込手段により取り込まれたデジタルデータ劣化解除モジュールを復号する復号手段と、前記復号手段により復号されたデジタルデータ劣化解除モジュールの劣化解除機能を減退させる劣化解除機能減退手段と、前記劣化解除機能減退手段によりその機能が減退させられたデジタルデータ劣化解除モジュールを再暗号化する暗号化手段を含むことを特徴とする請求項７に記載の劣化を伴うデジタルデータ複製装置。
【発明の詳細な説明】
【技術分野】
【０００１】
本発明は、劣化を伴うデジタルデータ複製方法および装置に関し、特に、デジタルデータ複製装置間で少量のデータをやり取りするだけで、複製されるデジタルデータにアナログデータに類する劣化を与えることができる劣化を伴うデジタルデータ複製方法および装置に関する。
【背景技術】
【０００２】
デジタルデータの利用(複製や移動)に伴って該デジタルデータの品質を劣化させることにより、デジタルデータが何世代にも渡って正確に複製されないようにした、デジタルデータを自己劣化させる方法(装置)が、特許文献１で提案されている。
【０００３】
この方法では、コンテンツソースからデジタルデータを受信し、指定された品質劣化方針もしくは品質劣化仕様モデルに従ってデジタルデータの品質を劣化させる。このようにして劣化されたデジタルデータをその宛先に送信する。この宛先以降においてさらにデジタルデータが利用されれば、該デジタルデータの品質はさらに次々と劣化される。
【特許文献１】特開２００４−３０６３０号公報
【発明の開示】
【発明が解決しようとする課題】
【０００４】
しかしながら、上記の方法は、デジタルデータ複製装置の間でデジタルデータそのものを次々とやり取りして劣化されたデジタルデータを複製するものであるので、デジタルデータ複製装置の間に広帯域の伝送路を必要とするという課題がある。
【０００５】
本発明の目的は、上記課題を解決し、デジタルデータ複製装置間で少量のデータをやり取りするだけで、複製されるデジタルデータにアナログデータに類する劣化を与えることができる劣化を伴うデジタルデータ複製方法および装置を提供することにある。
【課題を解決するための手段】
【０００６】
上記目的を達成するために、本発明の劣化を伴うデジタルデータ複製方法は、コンテンツソースから配布され、予め可逆に劣化が施されたデジタルデータの劣化を解除するためのデジタルデータ劣化解除モジュールを複製することを含む劣化を伴うデジタルデータ複製方法であって、前記デジタルデータ劣化解除モジュールの劣化解除機能を減退させる劣化解除機能減退ステップを含むことを特徴としている。
【０００７】
ここで、劣化解除機能減退ステップは、デジタルデータ劣化解除モジュールの複製の際、あるいはデジタルデータ劣化解除モジュールを受けた後、一定時間ごとに実行されるようにすることができる。
【０００８】
また、デジタルデータ劣化解除機能を階層化されたものとし、そのデジタルデータ劣化解除機能が段階的に減退されるようにすることができる。
【０００９】
また、暗号化されたデジタルデータ劣化解除モジュールを用い、劣化解除機能減退ステップが、デジタルデータ劣化解除モジュールを復号する第１のステップと、第１のステップにより復号されたデジタルデータ劣化解除モジュールの劣化解除機能を減退させる第２のステップと、第２のステップにより減退させられたデジタルデータ劣化解除モジュールを再暗号化する第３のステップを含むようにすることができる。
【００１０】
また、本発明の劣化を伴うデジタルデータ複製装置は、予め可逆に劣化が施されたデジタルデータを元にデジタルデータを複製するデジタルデータ複製装置であって、コンテンツソースから配布され、予め可逆に劣化が施されたデジタルデータを取り込んで記憶する記憶手段と、前記コンテンツソースあるいは他のデジタルデータ複製装置から、前記デジタルデータの劣化を解除するためのデジタルデータ劣化解除モジュールを取り込むデジタルデータ劣化解除モジュール取込手段と、前記デジタルデータ劣化解除モジュール取込手段により取り込まれたデジタルデータ劣化解除モジュールを使って前記記憶手段に記憶されたデジタルデータの劣化を解除して出力する再生手段と、前記デジタルデータ劣化解除モジュール取込手段により取り込まれたデジタルデータ劣化解除モジュールの劣化解除機能を減退させて該デジタルデータ劣化解除モジュールを複製して送出するデジタルデータ劣化解除モジュール複製手段を具備することを特徴としている。
【００１１】
ここで、暗号化されたデジタルデータ劣化解除モジュールを用い、デジタルデータ劣化解除モジュール複製手段が、デジタルデータ劣化解除モジュール取込手段により取り込まれたデジタルデータ劣化解除モジュールを復号する復号手段と、復号手段により復号されたデジタルデータ劣化解除モジュールの劣化解除機能を減退させる劣化解除機能減退手段と、劣化解除機能減退手段によりその機能が減退させられたデジタルデータ劣化解除モジュールを再暗号化する暗号化手段を含むようにすることができる。
【発明の効果】
【００１２】
本発明の劣化を伴うデジタルデータ複製方法および装置によれば、アナログの世界で起こりうるデータ複製時の劣化をデジタルの世界で模倣することが可能となる。つまり、デジタルデータを劣化させつつ複製することが可能になる。
【００１３】
また、劣化されたデジタルデータは、デジタルデータ複製装置の間では、デジタルデータ劣化解除モジュールをやり取りするするだけであるので、デジタルデータ複製装置の間に広帯域の伝送路を必要としない。
【００１４】
また、コンテンツソースから配布されるデジタルデータは、予め劣化が施された状態で流通し、デジタルデータ劣化解除モジュールなしに劣化を解除することは困難であるので、十分にセキュリティを図ることができる。また、デジタルデータ劣化解除モジュールがなくても、劣化した状態のデジタルデータの再生が可能にすることができるので、デジタルデータ劣化解除モジュールを正規に取得することをユーザに促すことが期待できる。
【発明を実施するための最良の形態】
【００１５】
以下、図面を参照して本発明を説明する。図１は、本発明に係る劣化を伴うデジタルデータ複製方法および装置の実施形態の概要を示すブロック図である。
【００１６】
図１では、デジタルデータの配布元となるコンテンツソース1(以下では、サーバと称する)と、ユーザA,B,Cそれぞれのデジタルデータ複製装置2,3,4と、その他の一般ユーザDのデジタルデータ複製装置5を示している。ここで、ユーザAは、配布元とデジタルデータの配信につき正規契約あるいはデジタルデータに対する料金支払済のユーザであり、ユーザBは、ユーザAを通してデジタルデータを複製しようとするユーザであり、ユーザCは、ユーザA,Bを通してデジタルデータを複製しようとするユーザである。また、一般ユーザDは、配布元とデジタルデータの配信につき正規契約あるいはデジタルデータに対する料金を支払うことなく独自にデジタルデータを複製しようとするユーザである。
【００１７】
サーバ1は、品質劣化のないデジタルデータを格納する第１記憶手段1-1と、第１記憶手段1-1に格納されたデジタルデータの品質を可逆に劣化させて劣化デジタルデータを生成する劣化デジタルデータ生成手段1-2と、劣化デジタルデータ生成手段1-2により生成された劣化デジタルデータを格納する第２記憶手段1-3と、第２記憶手段1-3に格納された劣化デジタルデータをブロードキャストやマルチキャストといった放送型サービスなどで配布する劣化デジタルデータ配布手段1-4と、劣化デジタルデータ生成手段1-2により生成された劣化デジタルデータの劣化を100％解除して品質劣化のないデジタルデータを生成するための100％劣化解除モジュールを生成する劣化解除モジュール生成手段1-5と、劣化解除モジュール生成手段1-5により生成された100％劣化解除モジュールを、正規契約あるいはデジタルデータに対する料金支払済のユーザの暗号鍵、図１の例ではユーザAの暗号鍵で暗号化して暗号化済劣化解除モジュールを生成する劣化解除モジュール暗号化手段1-6と、劣化解除モジュール暗号化手段1-6により生成された暗号化済劣化解除モジュールをユーザに配信する暗号化済劣化解除モジュール配信手段1-7を備える。
【００１８】
ユーザAのデジタルデータ複製装置2は、サーバ１の劣化デジタルデータ配布手段1-4により配布された劣化デジタルデータを受信して格納する記憶手段2-1と、サーバ1の暗号化済劣化解除モジュール配信手段1-7から配信された暗号化済劣化解除モジュールを受け、ユーザAの暗号鍵で復号して100％劣化解除モジュールを生成する劣化解除モジュール復号手段2-2と、記憶手段2-1に格納された劣化デジタルデータの劣化を劣化解除モジュール復号手段2-2で復号された100％劣化解除モジュールを用いて解除し、品質劣化のないデジタルデータを生成して再生手段に送出する劣化解除手段2-3と、劣化解除モジュール復号手段2-2で復号された100％劣化解除モジュールの劣化解除機能を減退させ、例えば80％劣化解除モジュールとして劣化解除モジュールを複製し、これをさらに複製先のユーザ、図１の例ではユーザBの暗号鍵で暗号化し、暗号化済劣化解除モジュールとして送出する劣化解除モジュール複製手段2-4を備える。
【００１９】
ユーザBのデジタルデータ複製装置3は、ユーザAのデジタルデータ複製装置2と構成上では同様であるが、劣化解除モジュール復号手段3-2は、80％劣化解除モジュールを復号するので、劣化解除手段3-3は、80％だけ品質が劣化されたデジタルデータを再生手段に送る。また、劣化解除モジュール複製手段3-4は、劣化解除モジュール復号手段3-2で復号された80％劣化解除モジュールの劣化解除機能をさらに減退させ、例えば60％劣化解除モジュールとして劣化解除モジュールを複製し、さらにこれを複製先のユーザ、図１の例ではユーザCの暗号鍵で暗号化し、暗号化済劣化解除モジュールとして送る
【００２０】
ユーザCのデジタルデータ複製装置4も、ユーザAのデジタルデータ複製装置2と構成上では同様であるが、劣化解除モジュール復号手段4-2は、60％劣化解除モジュールを復号するので、劣化解除手段4-3は、60％だけ品質が劣化されたデジタルデータを再生手段に送る。なお、デジタルデータ複製装置4も劣化解除モジュール複製手段を備え、これにより劣化解除モジュールの劣化解除機能をさらに減退させて他のユーザに送出可能となっているが図示していない。
【００２１】
ユーザB,Cの暗号鍵はそれぞれ、ユーザA,Bの両者間、ユーザB,Cの両者間で予めあるいはデジタルデータ複製の際に取り決めたものでよい。また、デジタルデータ複製装置2,3,4におけるデバイスの固有情報をユーザA,B,Cの暗号鍵として利用してもよい。劣化解除モジュールの複製は、このような暗号化鍵があって初めて可能になり、暗号化されていない劣化解除モジュールは流通しない。
【００２２】
一般ユーザDのデジタルデータ複製装置5も、構成上はユーザAのデジタルデータ複製装置2と同様であるが、劣化解除モジュールを受けないので、劣化デジタルデータ配布手段1-4から配布された劣化デジタルデータを受信してそのまま再生手段に送る。 
【００２３】
図２は、デジタルデータ複製装置2,3,4の動作を示すフローチャートである。デジタルデータ自体は劣化された状態でサーバ１の劣化デジタルデータ配布手段1-4からブロードキャストやマルチキャストのような放送型サービスなどで配布される(S21)。サーバ1から配布される際、デジタルデータは既に劣化しており、劣化デジタルデータは、同一品質のまま広まる。デジタルデータ複製装置2,3,4は、サーバ1から配信されたデジタルデータを記憶手段に記憶する(S22)。
【００２４】
また、デジタルデータの配布につき正規契約あるいはデジタルデータに対する料金支払済のユーザ(ユーザA)に対し、サーバ1の暗号化劣化解除モジュール配信手段1-7からユーザAのデジタルデータ複製装置2に暗号化済劣化解除モジュールが配信される(S23)。サーバ1から正規契約あるいはデジタルデータ購入済のユーザに対して配信される暗号化済劣化解除モジュールは、デジタルデータの劣化を100％解除できる暗号化済100％劣化解除モジュールである。
【００２５】
デジタルデータ複製装置2は、暗号化劣化解除モジュール配信手段1-7から配信された暗号化済劣化解除モジュールを記憶手段に記憶し(S24)、デジタルデータ再生時に自身の暗号化鍵を利用して復号して100％劣化解除モジュールを生成し(S25)、これを既に配布されている劣化デジタルデータに適用することによりその劣化を解除する(S26)。この場合の劣化解除は100％であるので、劣化解除されたデジタルデータを再生手段に送れば、デジタルデータを正常に再生することができる。ここで、再生時のみデジタルデータの劣化が解除されるようにし、また、復号された劣化解除モジュールや劣化解除されたデジタルデータが蓄積されないようにすれば、劣化解除されたデジタルデータがここから広く流通することを抑制することができる。
【００２６】
なお、劣化デジタルデータ配布手段1-4から配布された劣化デジタルデータをそのまま再生手段に送れば、一般ユーザDと同様に、劣化デジタルデータが劣化されたままの状態で再生される。
【００２７】
ユーザBもデジタルデータの配布につき正規契約あるいはデジタルデータに対する料金支払済であれば、ユーザAと同じくサーバ1から暗号化劣化解除モジュールを受けて劣化のないデジタルデータを再生できる。また、ユーザBは、ユーザAから暗号化劣化解除モジュールの配信を受けることによりある程度劣化したデジタルデータを複製することができる。
【００２８】
ユーザAが自己を通してユーザBにデジタルデータの複製を許す場合、ユーザAのデジタルデータ複製装置2の劣化解除モジュール複製手段2-4は、劣化解除モジュール復号手段2-2で復号された100％劣化解除モジュールの劣化解除機能を減退させ(S27)、例えば80％劣化解除モジュールとして劣化解除モジュールを複製し、これをさらに複製先のユーザ、図１の例ではユーザBの暗号鍵で暗号化し(S28)、暗号化済劣化解除モジュールとしてユーザBのデジタルデータ複製装置3の劣化解除モジュール復号手段3-2に送る。
【００２９】
ユーザBは、ユーザAから劣化解除機能が減退された暗号化劣化解除モジュールを受けることにより、例えば80％だけ劣化したデジタルデータを複製することができる。同様に、ユーザCは、ユーザBからさらに劣化解除機能が減退された暗号化劣化解除モジュールを受けることにより、例えば60％だけ劣化したデジタルデータを複製することができる。以下、ユーザC以降の複製においても、同様の手順が繰り返されることにより、複数世代で次々と劣化された複製が可能となる。 
【００３０】
図３は、劣化解除モジュールの劣化解除機能の減退の説明図である。図３において、デジタルデータ(データ1：完全なデータ)が５つの要素A,B,C,D,Eからなり、○は、データがそのまま存在することを表し、Ｘは、データが劣化されていることを表している。また、データ2(配布データ)は、サーバ1から配布されるデータであり、データ3(第0世代),データ4(第1世代),データ5(第2世代)はそれぞれ、ユーザA,B,Cで複製されるデータである。
【００３１】
このデジタルデータは、各要素A,B,C,D,E単体でも再生は可能であるが、その任意の組み合わせでも再生が可能である。また、要素A,B,C,D,Eが揃えば揃うほどデータの品質がよくなり、要素A,B,C,D,E全てが揃えば最高品質での再生が可能となるものである。
【００３２】
まず、要素A,B,C,D,Eからなるデジタルデータ(データ1：完全なデータ)を用意する。デジタルデータをRGB8bitのビットマップとした場合、このデジタルデータを構成する各要素を、例えば以下のように定義する。
要素A：R,G,B成分それぞれの下から4bit+ヘッダ
要素B：R,G,B成分それぞれの下から4bit目
要素C：R,G,B成分それぞれの下から3bit目
要素D：R,G,B成分それぞれの下から2bit目
要素E：R,G,B成分それぞれの下から1bit目
【００３３】
次に、３つの要素C,D,Eが劣化したデータをデータ2(配布データ)として予め作成しておく。ここで、劣化のルールを、例えば「反転させること」とすると、データ2(配布データ)は、R,G,B成分それぞれの下から3bit全てが反転されたデータとなる。このデータが各ユーザに配布される。
【００３４】
この劣化は、同様に「反転させること」により劣化解除することが可能である。すなわち、劣化は可逆的である。R,G,B成分それぞれの下から3bit全てが反転されたデータ2(配布データ)は、同様にR,G,B成分それぞれの下から3bit全てを反転させることにより、劣化を完全に解除し、完全なデータを得ることが可能である。
【００３５】
ユーザAには、R,G,B成分それぞれの要素C,D,E全てを反転させるための100％劣化解除モジュールが配信される。ユーザAは、これと既に配布されたデータ2(配布データ)からデータ3(第0世代)を複製できる。ユーザBには、R,G,B成分それぞれの要素C,Dを反転させるための劣化解除モジュールが配信される。ユーザBは、これと既に配布されたデータ2(配布データ)からデータ4(第1世代)を複製できる。ユーザCには、R,G,B成分それぞれの要素Cのみを反転させるための劣化解除モジュールが配信される。ユーザCは、これと既に配布されたデータ2(配布データ)からデータ5(第2世代)を複製できる。なお、一般ユーザDは、要素A,Bのみを用いて再生できる。
【００３６】
以上のように、上記実施形態によれば、予め劣化したデジタルデータを放送型サービスなどで提供しておき、劣化解除機能が次々段階的に減退させられた劣化解除モジュールを流通させるので、デジタルデータを一旦放送してしまえば、後は少量のデータのやり取りのみで劣化を伴う複製と同等の機能を実現することが可能となる。例えば、主となるデジタルデータを広帯域回線で伝送しておき、劣化解除モジュールだけを個々にやり取りすることでデジタルデータの複製が可能となる。
【００３７】
上記実施形態は、デジタルデータ複製装置間でデジタルデータを複製する場合であるが、複製元と複製先を同一のデジタルデータ複製装置と考えることにより、再生などの処理もしくは時間の経過をトリガとしてデジタルデータを劣化させる仕組みを構築することが可能となる。
【００３８】
以下、複製元と複製先を同一のデジタルデータ複製装置と考え、一定時間が経過するごとにデジタルデータを劣化させるようにした実施形態について説明する。
【００３９】
図４は、この場合のデジタルデータ複製装置2,3,4の動作を示すフローチャートである。デジタルデータ複製装置2,3,4は、サーバ1から放送型サービスなどで配布された劣化デジタルデータを記憶手段に記憶する(S42)。また、適宜のユーザ、例えばユーザAに対し、サーバ1の暗号化劣化解除モジュール配信手段1-7からユーザAのデジタルデータ複製装置2に暗号化済劣化解除モジュールが配信される(S43)。なお、暗号化済劣化解除モジュールの配信先は、複数のユーザであってもよい。
【００４０】
デジタルデータ複製装置は、暗号化済劣化解除モジュールを記憶し(S44)、復号して100％劣化解除モジュールを生成する(S45)。次に、100％劣化解除モジュールを既に配布されている劣化デジタルデータに適用することによりその劣化を解除し(S46)、デジタルデータの正常な再生を可能にする。ここまでは、図２と同様である。
【００４１】
また、デジタルデータ複製装置の劣化解除モジュール複製手段は、暗号化劣化解除モジュール配信手段1-7から暗号化済劣化解除モジュールが配信された時点から一定時間が経過したかどうかを判定する(S47)。そして、一定時間が経過したと判定したならば暗号化済劣化解除モジュールを復号し(S48)、復号された100％劣化解除モジュールの劣化解除機能を減退させる(S49)。これにより、例えば80％劣化解除モジュールを複製し、これをさらに自身の暗号鍵で暗号化し(S50)、S44での暗号化済劣化解除モジュールとする。
【００４２】
以下、S47〜S50のステップを一定時間ごとに自動的に繰り返し実行し、一定時間の経過ごとに段階的に劣化解除機能を減退させる。劣化解除モジュールの劣化解除は、デジタルデータ再生指示に従って、現時点で記憶されている劣化解除モジュールを復号し(S45)、既にサーバ1から配布されている劣化デジタルデータに適用することにより実行する(S46)。この場合の劣化解除の程度は、暗号化済劣化解除モジュールが配信された時点からの時間経過に従って低下する。
【００４３】
以上、実施形態を説明したが、本発明は、上記実施形態に限定されず、種々の変形が可能である。例えば、サーバからのデジタルデータの配布や暗号化済劣化解除モジュールの配信、デジタルデータ複製装置間での暗号化済劣化解除モジュールのやり取りは、それが格納された記録媒体(メディア)の受け渡しでもよい。
【００４４】
また、上記２つの実施形態を組み合わせることもできる。つまり、自身が記憶する劣化解除モジュールを時間経過に従って減退させるとともに、その劣化解除モジュールの劣化解除機能を減退させて他のユーザに配信するようにすることができる。
【００４５】
さらに、特別なユーザに対する劣化解除モジュールにおいて、減退されて配信された劣化解除機能が時間(日時)に応じて逆に向上(improvement)されるようにし、特別なユーザでは劣化程度が改善されたデジタルデータを複製できるようにすることも可能である。
【図面の簡単な説明】
【００４６】
【図１】本発明に係る劣化を伴うデジタルデータ複製方法および装置の実施形態の概要を示すブロック図である。
【図２】デジタルデータ複製装置の動作を示すフローチャートである。
【図３】劣化解除モジュールの劣化解除機能の減退の説明図である。
【図４】デジタルデータ複製装置の他の動作を示すフローチャートである。
【符号の説明】
【００４７】
1・・・コンテンツソース、1-1,1-3,2-1・・・記憶手段、1-2・・・劣化デジタルデータ生成手段、1-4・・・劣化デジタルデータ配布手段、1-5・・・劣化解除モジュール生成手段、1-6・・・劣化解除モジュール暗号化手段、1-7・・・暗号化済劣化解除モジュール配信手段、2,3,4,5・・・デジタルデータ複製装置、2-2,3-2,4-2・・・劣化解除モジュール復号手段、2-3,3-3,4-3・・・劣化解除手段、2-4,3-4・・・劣化解除モジュール複製手段、A,B,C,D・・・ユーザ
【図１】
2008077787.tif 000003
【図２】
2008077787.tif 000004
【図３】
2008077787.tif 000005
【図４】
2008077787.tif 000006